(57)【要約】  本開示の実施例は、電動工具ユニットに関し、当該電動工具ユニットは、工具本体と、電池パックとを備え、前記電池パックは、セルユニット及び電池パック端子台を収容する取付キャビティと、ロック装置とを備え、電動工具及び前記電池パックの少なくとも一方には、挿入口シールが配置され、前記電池パックが前記電動工具と嵌合したとき、前記電動工具と前記電池パックとの間には嵌合隙間があり、前記電動工具及び前記電池パックの少なくとも一方には、前記嵌合隙間から挿入口までの通路を遮断する挿入口シールが配置され、前記電池パックは、前記上ケースと前記下ケースとの接続部に設けられる上下ケースシールをさらに備え、上ケースが前記下ケースと嵌合したとき、前記上下ケースシールは、外部と前記取付キャビティとの連通を遮断し、ロック装置は、電池パックケースに取り付けられ、取付キャビティの外部に隔離されている。
2020532442.tif 000002
【特許請求の範囲】
【請求項１】
電動工具と、前記電動工具に電気的に接続される電池パックとを備え、
前記電動工具は、
工具本体と、
前記工具本体に設けられ、複数の工具端子を有する工具端子台とを備え、
前記工具本体と取り外し可能に嵌合する前記電池パックは、
上ケースと、
前記上ケースと接続して電池パックケースを構成する下ケースと、
セルユニットと、
前記複数の工具端子に接続される複数の電池パック端子を有する電池パック端子台と、
前記電池パックケース内に規定されて前記セルユニット及び前記電池パック端子台を収容する取付キャビティであって、前記電池パック端子に電気的に接続されるように前記工具端子が挿入される挿入口が設けられた取付キャビティと、
前記電池パックと前記電動工具とを接続又は分離可能にするロック装置と、を備える電動工具ユニットにおいて、
前記電池パックが前記電動工具と嵌合したとき、前記電動工具と前記電池パックとの間には嵌合隙間があり、前記電動工具及び前記電池パックの少なくとも一方には、前記嵌合隙間から前記挿入口までの通路を遮断する挿入口シールが配置され、
前記上ケースが前記下ケースと嵌合したとき、前記上ケースと前記下ケースとの間には嵌合隙間があり、前記電池パックは、前記嵌合隙間から前記取付キャビティへの通路を遮断する上下ケースシールをさらに備え、
前記ロック装置は、前記電池パックケースに取り付けられ、前記取付キャビティの外部に隔離されていることを特徴とする電動工具ユニット。
【請求項２】
前記工具端子台には、突き合わせ面が設けられ、前記工具端子は、少なくとも一部が前記突き合わせ面から外側に突出し、前記電池パックは、前記突き合わせ面と嵌合可能な嵌合面を有し、前記挿入口は、前記嵌合面に形成されていることを特徴とする請求項１に記載の電動工具ユニット。
【請求項３】
前記挿入口シールは、前記突き合わせ面と前記嵌合面との間に設けられていることを特徴とする請求項２に記載の電動工具ユニット。
【請求項４】
前記挿入口シールは、前記突き合わせ面に固定的に密着するように配置され、前記電池パックが前記電動工具と嵌合したとき、前記挿入口シールは、前記電池パックの嵌合面に当接して前記挿入口と外部との隔離を実現するように構成されることを特徴とする請求項３に記載の電動工具ユニット。
【請求項５】
前記挿入口シールは、前記工具端子台に移動可能に配置され、前記電池パックと前記電動工具との嵌合中、前記挿入口シールと前記工具端子台の突き合わせ面との間の距離が変化可能であり、少なくとも１つの距離において、外部の水流が前記挿入口を介して前記取付キャビティに入ることを防止可能であることを特徴とする請求項３に記載の電動工具ユニット。
【請求項６】
前記挿入口シールは、軟質ガスケットであり、前記軟質ガスケットは、前記工具端子が対応して挿通される複数の貫通孔を有することを特徴とする請求項３に記載の電動工具ユニット。
【請求項７】
前記電池パックの嵌合面は、電池パックの上ケースの１つの面又は複数の面で形成され、前記挿入口シールは、前記１つの面又は複数の面に密着していることを特徴とする請求項２に記載の電動工具ユニット。
【請求項８】
前記電池パックには、放熱口が設けられ、前記工具本体には、前記放熱口の上方に位置して前記放熱口を隔離する放熱口シールが設けられていることを特徴とする請求項１に記載の電動工具ユニット。
【請求項９】
前記電池パックケースには、前記ロック装置が移動するための移動空間が形成され、前記移動空間は、前記取付キャビティの外部に隔離されていることを特徴とする請求項１に記載の電動工具ユニット。
【請求項１０】
前記上ケースは、一体成形され、その外面に、前記ロック装置を少なくとも部分的に取り囲むロックキャビティが下方へ凹んで形成され、前記ロックキャビティは、ロック装置が上下動するための移動空間を形成することを特徴とする請求項９に記載の電動工具ユニット。
【請求項１１】
前記上下ケースシールは、前記上ケースと前記下ケースとの接続部に設けられ、かつ前記上ケースと前記下ケースとの間に設けられるシールリングとして構成されることを特徴とする請求項１に記載の電動工具ユニット。
【請求項１２】
前記電動工具は、手持ち式圧力洗浄装置であり、前記工具本体は、把持用の操作ハンドルと、前記操作ハンドルと角度をなすように設けられる本体部と、水流を外部に吐出する吐水部とを有し、
前記手持ち式圧力洗浄装置は、前記本体部内に設けられるモータと、水流を外部に搬送するポンプとを有する機能部材をさらに備えることを特徴とする請求項１に記載の電動工具ユニット。
【請求項１３】
前記手持ち式圧力洗浄装置の外部に出力する作動水圧は、０．２Ｍｐａ〜１０Ｍｐａであり、外部に出力する作動水流量は、１．５Ｌ／Ｍｉｎ〜８Ｌ／Ｍｉｎであることを特徴とする請求項１２に記載の電動工具ユニット。
【請求項１４】
前記電池パックの数は、１つであり、前記電池パックの公称出力電圧は、１８〜６０Ｖであるか、又は前記電池パックの数は、２つであり、そのうちの１つの電池パックの公称出力電圧は、１８〜４２．４Ｖであることを特徴とする請求項１に記載の電動工具ユニット。
【請求項１５】
電動工具に取り外し可能に取り付けられる電池パックであって、
上ケースと、
前記上ケースと接続することにより電池パックケースを構成する下ケースと、
セルユニットと、
前記複数の工具端子に接続される複数の電池パック端子を有する電池パック端子台と、
前記電池パックケース内に規定されて前記セルユニット及び前記電池パック端子台を収容する取付キャビティであって、前記電池パック端子に電気的に接続されるように前記工具端子が挿入される挿入口が設けられた取付キャビティと、
前記電池パックと前記電動工具とを接続又は分離可能にするロック装置と、を備える電池パックにおいて、
前記上ケースが前記下ケースと嵌合したとき、前記上ケースと前記下ケースとの間には嵌合隙間があり、前記電池パックは、前記嵌合隙間から前記取付キャビティへの通路を遮断する上下ケースシールをさらに備え、
前記ロック装置は、前記電池パックケースに取り付けられ、前記取付キャビティの外部に隔離されていることを特徴とする電池パック。
【請求項１６】
前記ロック装置は、前記取付キャビティの外部で上ケースの外面に取り外し可能に取り付けられていることを特徴とする請求項１５に記載の電池パック。
【請求項１７】
前記電池パックケースには、前記ロック装置が移動するための移動空間が形成され、前記移動空間は、外部の水流が前記移動空間に入ったときに前記取付キャビティにさらに流入することを防止するために、前記取付キャビティの外部に隔離されていることを特徴とする請求項１５に記載の電池パック。
【請求項１８】
前記ロック装置は、係止部と、前記電池パックが操作によって前記電動工具から離脱できるように前記係止部を前記上ケースに対して前記移動空間内で移動させる操作部とを備えることを特徴とする請求項１７に記載の電池パック。
【請求項１９】
前記ロック装置の底面と前記上ケースの外面との間には、前記操作部が前記係止部を前記上ケースに対して移動させるように、前記ロック装置に押圧される弾性手段が設けられていることを特徴とする請求項１８に記載の電池パック。
【請求項２０】
前記上下ケースシールは、前記上ケースと前記下ケースとの接続部に設けられ、かつ前記上ケースと前記下ケースとの間に設けられるシールリングとして構成されることを特徴とする請求項１５に記載の電池パック。
【発明の詳細な説明】
【技術分野】
【０００１】
本発明は、電池パック、及び当該電池パックを用いた電動工具に関し、特に電動工具と嵌合する電池パックの防水シールに関する。
【背景技術】
【０００２】
家庭生活や戸外活動では、洗浄のニーズがずっと広く存在している。家庭の庭を中心とする家庭生活では、人々は常に、ベランダ、廊下、屋外のテーブル・椅子、グリル、自動車、自転車、ガレージ、ペット、ガーデンツール、窓、プール、屋外階段などを洗浄する必要がある。これらの物品は、使用場面が屋外にあるため、泥汚れ、油汚れ、木の葉、埃などの汚れが不可避的に付着してしまい、雑巾で洗浄するのは非常に不便であり、水流ひいては高圧水流を用いてスプレー洗浄する必要がある。上記ニーズを満たすために、市場では、家庭用の圧力洗浄装置が提供されている。
【０００３】
また、ユーザの使用時の携帯性のために、現在、直流電池パックによって圧力洗浄装置に給電することは、トレンドになっている。しかしながら、関連製品では、テスト中または使用中に水が電池パックの内部に浸入することが多く、電池パックは十分なシール性を得られないため、製品は、短絡、漏電、ひいては電池パックのセルの爆発などの安全上の問題を引き起こすおそれがある。
【０００４】
したがって、機器のシール性を確保するために、上記課題を解決する改良発明を提供する必要がある。
【発明の概要】
【発明が解決しようとする課題】
【０００５】
従来技術の欠点を克服するために、本発明が解決しようとする課題は、外部の水流が電池パックの取付キャビティ内に入らない電動工具ユニットを提供することである。
【課題を解決するための手段】
【０００６】
従来技術の課題を解決するために、本発明は、技術的手段として、電動工具と、前記電動工具に電気的に接続される電池パックとを備え、前記電動工具は、工具本体と、前記工具本体に設けられ、複数の工具端子を有する工具端子台とを備え、前記工具本体と取り外し可能に嵌合する前記電池パックは、上ケースと、前記上ケースと接続して電池パックケースを構成する下ケースと、セルユニットと、前記複数の工具端子に接続される複数の電池パック端子を有する電池パック端子台と、前記電池パックケース内に規定されて前記セルユニット及び前記電池パック端子台を収容する取付キャビティであって、前記電池パック端子に電気的に接続されるように前記工具端子が挿入される挿入口が設けられた取付キャビティと、前記電池パックと前記電動工具とを接続又は分離可能にするロック装置とを、備える電動工具ユニットにおいて、
前記電池パックが前記電動工具と嵌合したとき、前記電動工具と前記電池パックとの間には嵌合隙間があり、前記電動工具及び前記電池パックの少なくとも一方には、前記嵌合隙間から前記挿入口までの通路を遮断する挿入口シールが配置され、
前記上ケースが前記下ケースと嵌合したとき、前記上ケースと前記下ケースとの間には嵌合隙間があり、前記電池パックは、前記嵌合隙間から前記取付キャビティへの通路を遮断する上下ケースシールをさらに備え、
前記ロック装置は、前記電池パックケースに取り付けられ、前記取付キャビティの外部に隔離されている電動工具ユニットを採用する。
【０００７】
一実施形態では、前記工具端子台には、突き合わせ面が設けられ、前記工具端子は、少なくとも一部が突き合わせ面から外側に突出し、前記電池パックは、前記突き合わせ面と嵌合可能な嵌合面を有し、前記挿入口は、前記嵌合面に形成されている。
【０００８】
一実施形態では、前記挿入口シールは、前記突き合わせ面と前記嵌合面との間に設けられている。
【０００９】
一実施形態では、前記挿入口シールは、前記突き合わせ面に固定的に密着するように配置され、前記電池パックが前記電動工具と嵌合したとき、前記挿入口シールは、前記電池パックの嵌合面に当接して前記挿入口と外部との隔離を実現するように構成される。
【００１０】
一実施形態では、前記挿入口シールは、前記工具端子台に移動可能に配置され、前記電池パックと前記電動工具との嵌合中、前記挿入口シールと前記工具端子台の突き合わせ面との間の距離が変化可能であり、少なくとも１つの距離において、外部の水流が前記挿入口を介して前記取付キャビティに入ることを防止可能である。
【００１１】
一実施形態では、前記挿入口シールは、軟質ガスケットであり、前記軟質ガスケットは、前記工具端子が対応して挿通される複数の貫通孔を有する。
【００１２】
一実施形態では、前記電池パックの嵌合面は、電池パックの上ケースの１つの面又は複数の面で形成され、前記挿入口シールは、前記１つの面又は複数の面に密着している。
【００１３】
一実施形態では、前記電池パックには、放熱口が設けられ、前記工具本体には、前記放熱口の上方に位置して前記放熱口を隔離する放熱口シールが設けられている。
【００１４】
一実施形態では、前記電池パックケースには、前記ロック装置が移動するための移動空間が形成され、前記移動空間は、前記取付キャビティの外部に隔離されている。
【００１５】
一実施形態では、前記上下ケースシールは、前記上ケースと前記下ケースとの接続部に設けられ、かつ前記上ケースと前記下ケースとの間に設けられるシールリングとして構成される。
【００１６】
一実施形態では、前記電動工具は、手持ち式圧力洗浄装置であり、前記工具本体は、把持用の操作ハンドルと、前記操作ハンドルと角度をなすように設けられる本体部と、水流を外部に吐出する吐水部とを有し、
前記手持ち式圧力洗浄装置は、前記本体部内に設けられるモータと、水流を外部に搬送するポンプとを有する機能部材をさらに備える。
【００１７】
一実施形態では、前記手持ち式圧力洗浄装置の外部に出力する作動水圧は、０．２Ｍｐａ〜１０Ｍｐａであり、外部に出力する作動水流量は、１．５Ｌ／Ｍｉｎ〜８Ｌ／Ｍｉｎである。
【００１８】
一実施形態では、前記電池パックの数は、１つであり、前記電池パックの公称出力電圧は、１８〜４２Ｖである。
【００１９】
一実施形態では、前記電池パックの数は、２つであり、そのうちの１つの電池パックの公称出力電圧は、１８〜２０Ｖである。
【００２０】
従来技術の欠点を克服するために、本発明が解決しようとする課題は、電池パックに取り外し可能に接続され、外部の水流が電池パックの取付キャビティ内に入らない電動工具を提供することである。
【００２１】
従来技術の課題を解決するために、本発明は、技術的手段として、電池パックに取り外し可能に接続されるように配置される電動工具であって、工具本体と、前記工具本体に設けられ、複数の工具端子を有する工具端子台と、を備え、前記電池パックが前記電動工具と嵌合したとき、前記電動工具と前記電池パックとの間には嵌合隙間があり、前記電動工具及び前記電池パックの少なくとも一方には、前記嵌合隙間から挿入口までの通路を遮断する挿入口シールが配置され、
前記電池パックは、前記上ケースと前記下ケースとの接続部に設けられる上下ケースシールをさらに備え、前記上ケースが前記下ケースと嵌合したとき、前記上下ケースシールは、外部と前記取付キャビティとの連通を遮断し、
前記ロック装置は、前記電池パックケースに取り付けられ、前記取付キャビティの外部に隔離されている電動工具を採用する。
【００２２】
一実施形態では、前記工具端子台には、突き合わせ面が設けられ、前記工具端子は、少なくとも一部が突き合わせ面から外側に突出し、前記電池パックは、前記突き合わせ面と嵌合可能な嵌合面を有し、前記挿入口は、前記嵌合面に形成されている。
【００２３】
一実施形態では、前記挿入口シールは、前記突き合わせ面と前記嵌合面との間に設けられている。
【００２４】
一実施形態では、前記挿入口シールは、前記突き合わせ面の少なくとも一部に固定的に密着するように配置され、前記電池パックが前記電動工具と嵌合したとき、前記挿入口シールは、前記電池パックの嵌合面に当接して前記挿入口と外部との隔離を実現するように構成される。
【００２５】
一実施形態では、前記挿入口シールは、軟質ガスケットであり、前記軟質ガスケットは、前記工具端子が対応して挿通される複数の貫通孔を有する。
【００２６】
一実施形態では、前記電池パックの嵌合面は、電池パックの上ケースの１つの面又は複数の面で形成され、前記挿入口シールは、前記１つの面又は複数の面に密着している。
【００２７】
一実施形態では、前記電動工具は、手持ち式圧力洗浄装置であり、前記工具本体は、把持用の操作ハンドルと、前記操作ハンドルと角度をなすように設けられる本体部と、水流を外部に吐出する吐水部とを有し、前記手持ち式圧力洗浄装置は、前記本体部内に設けられるモータと、水流を外部に搬送するポンプとを有する機能部材を備える。
【００２８】
一実施形態では、前記手持ち式圧力洗浄装置の外部に出力する作動水圧は、０．２Ｍｐａ〜１０Ｍｐａであり、外部に出力する作動水流量は、１．５Ｌ／Ｍｉｎ〜８Ｌ／Ｍｉｎである。
【００２９】
一実施形態では、前記電池パックの数は、１つであり、前記電池パックの公称出力電圧は、１８〜６０Ｖであるか、又は前記電池パックの数は、２つであり、そのうちの１つの電池パックの公称出力電圧は、１８〜４２．４Ｖである。
【００３０】
一実施形態では、前記挿入口シールが前記嵌合隙間から挿入口までの通路を遮断する構造と、前記上下ケースシールが前記嵌合隙間から取付キャビティへの通路を遮断する構造と、前記ロック装置が前記取付キャビティの外部に隔離されている構造との３つの構造は、同一の前記電動工具ユニットに共存しなければならない。
【００３１】
一実施形態では、前記挿入口シールは、軟質ガスケットであり、前記軟質ガスケットは、前記挿入口シールが前記挿入口を塞ぐことを妨げない構造で前記工具端子が対応して挿通されるように配置される複数の貫通孔を有する。
【００３２】
一実施形態では、前記挿入口は、略角形状であり、前記軟質ガスケットは、平板状であり、前記電池パックが前記電動工具と嵌合したとき、前記軟質ガスケットは、前記角形状の挿入口を外部から隔離可能である。
【００３３】
一実施形態では、前記挿入口は、略Ｌ字状であり、前記軟質ガスケットは、Ｌ字状であり、前記電池パックが前記電動工具と嵌合したとき、前記軟質ガスケットは、前記Ｌ字状の挿入口を外部から隔離可能である。
【００３４】
一実施形態では、前記工具端子台は、Ｌ字状の突き合わせ面を有し、Ｌ字状の軟質ガスケットは、前記Ｌ字状の挿入口を外部から隔離するように前記Ｌ字状の突き合わせ面に接続可能である。
【００３５】
一実施形態では、前記Ｌ字状の軟質ガスケットは、前記突き合わせ面に接続される第１の部分と、前記工具本体に接続される第２の部分とを有し、前記第１の部分と前記第２の部分との協働により、前記Ｌ字状の挿入口を外部から隔離する。
【００３６】
一実施形態では、前記ロック装置は、前記取付キャビティの外部で上ケースの外面に取り外し可能に取り付けられている。
【００３７】
一実施形態では、前記電池パックケースには、前記ロック装置が移動するための移動空間が形成され、前記移動空間は、外部の水流が前記移動空間に入ったときに前記取付キャビティにさらに流入することを防止するために、前記取付キャビティの外部に隔離されている。
【００３８】
一実施形態では、前記上ケースは、一体成形され、その外面に、前記ロック装置を少なくとも部分的に取り囲むロックキャビティが下方へ凹んで形成され、前記ロックキャビティは、ロック装置が上下動するための移動空間を形成し、前記ロックキャビティと前記取付キャビティとは互いに連通していない。
【００３９】
一実施形態では、前記電池パックは、前記電池パックケースに取り外し可能に取り付けられて前記ロック装置を収容するロックキャビティが形成されるスペーサを備え、前記スペーサは、前記ロックキャビティと前記取付キャビティとを隔離する。
【００４０】
一実施形態では、前記電池パックは、前記スペーサと前記電池パックケースとの間に位置し、前記ロックキャビティと前記取付キャビティとを非連通とするシール構造をさらに備える。
【００４１】
一実施形態では、前記シール構造は、前記スペーサと前記電池パックケースとの間に挟持されるシールリングとして配置される。
【００４２】
一実施形態では、前記電池パックの数は、１つであり、前記電池パックの公称出力電圧は、１８〜４２Ｖである。
【００４３】
一実施形態では、前記電池パックの数は、２つであり、そのうちの１つの電池パックの公称出力電圧は、１８〜２０Ｖである。
【００４４】
一実施形態では、前記挿入口シールは、軟質ガスケットであり、前記電池パックと前記電動工具との相対変位によって前記電動工具ユニットを形成する過程で、特定の変形量に達するまで前記軟質ガスケットが前記電池パックに押圧される所定の厚さを有し、当該特定の変形量は、前記電動工具ユニットが水中１メートル以上に浸されたとき、水圧が前記軟質ガスケットに対する前記電池パックの押圧力よりも小さくなるように設定される。
【００４５】
上記のことに鑑みて、本発明の目的の１つは、防水電池パックを提供することにある。
上記目的を達成するために、本発明は、技術的手段として、電動工具に取り外し可能に取り付けられる電池パックであって、上ケースと、前記上ケースと接続して電池パックケースを構成する下ケースと、セルユニットと、前記複数の工具端子に接続される複数の電池パック端子を有する電池パック端子台と、前記電池パックケース内に規定されて前記セルユニット及び前記電池パック端子台を収容する取付キャビティであって、前記電池パック端子に電気的に接続されるように前記工具端子が挿入される挿入口が設けられた取付キャビティと、前記電池パックと前記電動工具とを接続又は分離可能にするロック装置と、を備え、前記上ケースが前記下ケースと嵌合したとき、前記上ケースと前記下ケースとの間には嵌合隙間があり、前記電池パックは、前記嵌合隙間から前記取付キャビティへの通路を遮断する上下ケースシールをさらに備え、
前記ロック装置は、前記電池パックケースに取り付けられ、前記取付キャビティの外部に隔離されている電池パックを採用する。
【００４６】
一実施形態では、前記ロック装置は、前記取付キャビティの外部で上ケースの外面に取り外し可能に取り付けられている。
【００４７】
一実施形態では、前記電池パックケースには、前記ロック装置が移動するための移動空間が形成され、前記移動空間は、外部の水流が前記移動空間に入ったときに前記取付キャビティにさらに流入することを防止するために、前記取付キャビティの外部に隔離されている。
【００４８】
一実施形態では、前記ロック装置は、係止部と、前記電池パックが操作によって前記電動工具から離脱できるように前記係止部を前記上ケースに対して前記移動空間内で移動させる操作部とを備える。
【００４９】
一実施形態では、前記ロック装置の底面と前記上ケースの外面との間には、前記操作部が前記係止部を前記上ケースに対して移動させるように、前記ロック装置に押圧される弾性手段が設けられている。
【００５０】
一実施形態では、前記上下ケースシールは、前記上ケースと前記下ケースとの接続部に設けられ、かつ前記上ケースと前記下ケースとの間に設けられるシールリングとして構成される。
【００５１】
一実施形態では、前記電池パックは、前記電池パックケースに取り外し可能に取り付けられて前記ロック装置を収容するロックキャビティが形成されるスペーサを備え、前記スペーサは、前記ロックキャビティと前記取付キャビティとを隔離する。
【００５２】
一実施形態では、前記電池パックは、前記スペーサと前記電池パックケースとの間に位置し、前記ロックキャビティと前記取付キャビティとを非連通とするシール構造をさらに備える。
【００５３】
一実施形態では、前記シール構造は、前記スペーサと前記電池パックケースとの間に挟持されるシールリングとして配置される。
【００５４】
一実施形態では、前記上下ケースシールは、前記上ケースと前記下ケースとの間に設けられるシールリングとして構成される。
【００５５】
一実施形態では、前記電池パックは、電池パックの動作特性を示す表示装置と、前記表示装置を収容する表示装置収容室とをさらに備え、前記表示装置収容室は、前記取付キャビティの一方側に規定され、かつ前記シールリングによって密閉された空間として規定される。
【００５６】
一実施形態では、前記表示装置は、制御基板と、前記制御基板に電気的に接続される電力量表示ランプ及び電力量表示ボタンとを備え、前記電力量表示ボタンは、前記電力量表示ランプを点灯させるよう操作によってトリガーすることができる。
【００５７】
一実施形態では、前記電池パックには、放熱口が設けられ、前記工具本体には、前記放熱口の上方に位置して前記放熱口を隔離する放熱口シールが設けられている。
【００５８】
従来技術の欠点を克服するために、本発明が解決しようとする課題は、外部の水流が電池パックの取付キャビティ内に入らない電動工具を提供することである。
【００５９】
従来技術の課題を解決するために、本発明は、技術的手段として、
電動工具であって、工具本体と、前記工具本体に設けられ、複数の工具端子を有する工具端子台とを備え、前記工具本体と取り外し可能に嵌合する前記電池パックは、上ケースと、前記上ケースと接続して電池パックケースを構成する下ケースと、セルユニットと、前記複数の工具端子に接続される複数の電池パック端子を有する電池パック端子台と、前記電池パックケース内に規定されて前記セルユニット及び前記電池パック端子台を収容する取付キャビティであって、前記電池パック端子に電気的に接続されるように前記工具端子が挿入される挿入口が設けられた取付キャビティと、前記電池パックと前記電動工具とを接続又は分離可能にするロック装置とを備え、前記電池パックが前記電動工具と嵌合したとき、前記電動工具と前記電池パックとの間には嵌合隙間があり、前記電動工具及び前記電池パックの少なくとも一方には、前記嵌合隙間から挿入口までの通路を遮断する挿入口シールが配置され、前記上ケースが前記下ケースと嵌合したとき、前記上ケースと前記下ケースとの間には嵌合隙間があり、前記電池パックは、前記嵌合隙間から前記取付キャビティへの通路を遮断する上下ケースシールをさらに備え、
前記ロック装置は、前記電池パックケースに取り付けられ、前記取付キャビティの外部に隔離されている電動工具を採用する。
【００６０】
一実施形態では、前記工具端子台には、突き合わせ面が設けられ、前記工具端子は、少なくとも一部が突き合わせ面から外側に突出し、前記電池パックは、前記突き合わせ面と嵌合可能な嵌合面を有し、前記挿入口は、前記嵌合面に形成されている。
【００６１】
一実施形態では、前記挿入口シールは、前記突き合わせ面と前記嵌合面との間に設けられている。
【００６２】
一実施形態では、前記挿入口シールは、前記突き合わせ面の少なくとも一部に固定的に密着するように配置され、前記電池パックが前記電動工具と嵌合したとき、前記挿入口シールは、前記電池パックの嵌合面に当接して前記挿入口と外部との隔離を実現するように構成される。
【００６３】
一実施形態では、前記挿入口シールは、前記工具端子台に移動可能に配置され、前記電池パックと前記電動工具との嵌合中、前記挿入口シールと前記工具端子台の突き合わせ面との間の距離が変化可能であり、少なくとも１つの距離において、外部の水流が前記挿入口を介して前記取付キャビティに入ることを防止可能である。
【００６４】
一実施形態では、前記挿入口シールは、軟質ガスケットであり、前記軟質ガスケットは、前記挿入口シールが前記挿入口を隔離することを妨げない構造で前記工具端子が対応して挿通されるように配置される複数の貫通孔を有する。
【００６５】
一実施形態では、前記挿入口は、略角形状であり、前記軟質ガスケットは、平板状であり、前記電池パックが前記電動工具と嵌合したとき、前記軟質ガスケットは、前記角形状の挿入口を外部から隔離可能である。
【００６６】
一実施形態では、前記挿入口は、略Ｌ字状であり、前記軟質ガスケットは、Ｌ字状であり、前記電池パックが前記電動工具と嵌合したとき、前記軟質ガスケットは、前記Ｌ字状の挿入口を外部から隔離可能である。
【００６７】
一実施形態では、前記工具端子台は、Ｌ字状の突き合わせ面を有し、Ｌ字状の軟質ガスケットは、前記Ｌ字状の挿入口を外部から隔離するように前記Ｌ字状の突き合わせ面に接続可能である。
【００６８】
一実施形態では、前記Ｌ字状の軟質ガスケットは、前記突き合わせ面に接続される第１の部分と、前記工具本体に接続される第２の部分とを有し、前記第１の部分と前記第２の部分との協働により、前記Ｌ字状の挿入口を外部から隔離する。
【００６９】
一実施形態では、前記電池パックの嵌合面は、電池パックの上ケースの１つの面又は複数の面で形成され、前記挿入口シールは、前記１つの面又は複数の面に密着している。
【００７０】
一実施形態では、前記ロック装置は、前記取付キャビティの外部で上ケースの外面に取り外し可能に取り付けられている。
【００７１】
一実施形態では、前記電池パックケースには、前記ロック装置が移動するための移動空間が形成され、前記移動空間は、外部の水流が前記移動空間に入ったときに前記取付キャビティにさらに流入することを防止するために、前記取付キャビティの外部に隔離されている。
【００７２】
一実施形態では、前記上ケースは、一体成形され、その外面に、前記ロック装置を少なくとも部分的に取り囲むロックキャビティが下方へ凹んで形成され、前記ロックキャビティは、ロック装置が上下動するための移動空間を形成し、前記ロックキャビティと前記取付キャビティとは互いに連通していない。
【００７３】
一実施形態では、前記上下ケースシールは、前記上ケースと前記下ケースとの間に設けられるシールリングとして構成される。
【００７４】
一実施形態では、前記電動工具は、圧力洗浄装置であり、前記工具本体は、把持用の操作ハンドルと、前記操作ハンドルと角度をなすように設けられる本体部と、水流を外部に吐出する吐水部とを有する。
【００７５】
一実施形態では、前記圧力洗浄装置は、前記本体部内に設けられるモータと、水流を外部に搬送するポンプとを有する機能部材を備える。
【００７６】
一実施形態では、前記圧力洗浄装置の外部に出力する作動水圧は、０．２Ｍｐａ〜１０Ｍｐａであり、外部に出力する作動水流量は、１．５Ｌ／Ｍｉｎ〜８Ｌ／Ｍｉｎである。
【００７７】
一実施形態では、前記電池パックの数は、１つであり、前記電池パックの公称出力電圧は、１８〜４２Ｖである。
【００７８】
一実施形態では、前記電池パックの数は、２つであり、そのうちの１つの電池パックの公称出力電圧は、１８〜２０Ｖである。
【００７９】
一実施形態では、前記挿入口シールは、軟質ガスケットであり、前記電池パックと前記電動工具との相対変位によって前記電動工具ユニットを形成する過程で、前記電動工具ユニットが水中１メートル以上に浸されたとき、水圧が前記軟質ガスケットに対する前記電池パックの押圧力よりも小さくなるように設定される特定の変形量に達するまで前記軟質ガスケットが前記電池パックに押圧される所定の厚さを有し、当該特定の変形量は、前記電動工具ユニットが水中１メートル以上に浸されたとき、水圧が前記軟質ガスケットに対する前記電池パックの押圧力よりも小さくなるように設定される。
【００８０】
従来の技術と比べて、本発明は少なくとも、以下の有利な効果を有する。
１、電池パックの取付キャビティ内の構造を変更することなく、電池パックと圧力洗浄装置との突き合わせ部を防水シールし、電池パックの上下ケースの間を防水シールし、ロック装置の収容キャビティを防水シールすることによって、電池パックに必然的に存在する隙間を全面的にシールし、最も簡単でコストが最も低い構造設計により、外部の水流が取付キャビティ内に入らないことが実現される。
【００８１】
２、電池パックの汎用性が高く、圧力洗浄装置に給電する電池パックは、他の電動工具にも給電できる。
【図面の簡単な説明】
【００８２】
【図１】図１は、本発明の電動工具ユニットの斜視模式図である。
【図２】図２は、図１に示す電動工具ユニットの第１のハーフハウジングが取り除かれたときの内部構造を示す模式図である。
【図３】図３は、図１に示す電動工具ユニットの部分的な分解図である。
【図４】図４は、Ｌ字状の工具端子台にＬ字状の挿入口シール及び電池パックが接続されている模式図である。
【図５】図５は、図４を別の角度からみた部分的な分解図である。
【図６】図６は、工具端子台にＬ字状の挿入口シールが接続されている一実施形態の模式図である。
【図７】図７は、工具端子台に挿入口シールが接続されている別の実施形態の模式図である。
【図８】図８は、電池パックの斜視模式図である。
【図９】図９は、電池パックの外面に挿入口シールが接続されている一実施形態の斜視図である。
【図１０】図１０は、電池パックの外面に挿入口シールが接続されている別の実施形態の斜視図である。
【図１１】図１１は、電池パックの別の方向の斜視模式図である。
【図１２】図１２は、図１１に示す電池パックの部分的な分解図である。
【図１３】図１３は、図１２に示す電池パックの爆発図である。
【図１４】図１４は、図１１に示す電池パックの断面図である。
【発明を実施するための形態】
【００８３】
本開示の実施例の利点及び特徴を当業者により容易に理解してもらい、本開示の実施例の技術的範囲をより明確にするために、以下は、図面を参照しながら、本開示の実施例の好ましい実施形態を詳しく説明する。図面及び明細書の異なる実施例における同一の番号及び符号は、同一又は同等の部材を示す。
【００８４】
図１〜図２に示す電動工具は、電池パック５に取り外し可能に接続されるように配置される。電池パック５は電動工具と嵌合して電動工具ユニットを形成する。本実施形態では、前記電動工具は、圧力洗浄装置１である。この圧力洗浄装置１は、工具本体１０と、機能部材２０と、液体注入継手３０と、トリガー機構４０とを備える。
【００８５】
工具本体１０は、略ピストル状である。工具本体１０は、左右ハーバード構造を採用し、第１のハーフハウジングと第２のハーフハウジングとを接続して形成される。工具本体１０は、把持用の操作ハンドル１１と、操作ハンドル１１と角度をなすように設けられる本体部１２と、水流を外部に吐出する吐水部１３とを有する。機能部材２０は、本体部１２内に設けられている。機能部材２０は、モータ２１と、モータ２１によって駆動されて水流を外部に搬送するポンプ２２と、モータ２１とポンプ２２との間に接続される伝達機構２３とを有する。さらに、本発明では、モータ２１、ポンプ２２がともに本体部１２内に設けられた圧力洗浄装置１は、手持ち式圧力洗浄装置１である。
【００８６】
液体注入継手３０は、液体を手持ち式圧力洗浄装置１の内部に案内するように、液体が流れる外部の管路（水管）に接続される。液体注入継手３０は、一端が工具本体１０に接続され、他端がフリーとなり液体注入口３１が設けられている。液体注入継手３０は、液体注入口３１を介して外部の管路（図示せず）と連通している。液体が外部の管路から液体注入継手３０内に入って工具本体１０の内部に入ると、圧力洗浄装置１の高圧により圧力洗浄装置１の吐水部１３から外部に吐出されて物体の表面を洗浄する。
【００８７】
トリガー機構４０は、操作ハンドル１１近傍に設けられ、具体的にはトリガであり、外部の水源とポンプ２２との連通及びモータ２１の回転をトリガするためのものである。
【００８８】
図１及び図３に示すように、手持ち式圧力洗浄装置１は、電池パック５が取り外し可能に嵌合する足裏部１４と、電池パック５に電気的に接続される工具端子台６とをさらに備える。工具端子台６は、突き合わせ面６２が設けられた基部６１と、前記基部６１に支持される複数の工具端子６３とを有する。足裏部１４は、本体部１２から離れた操作ハンドル１１の一端に設けられる。本体部１２と操作ハンドル１１と足裏部１４との三者は、一体成形構造に配置されている。換言すれば、操作ハンドル１１及び足裏部１４は、本体部１２から連続的に所定の方向に延びて形成される。本実施形態では、足裏部１４には、本体部１２の方向に凹んだ溝１４１が規定されている。工具端子台６は、この凹槽１４内に収容されているとともに、足裏部１４に固定的に接続されるように構成される。
【００８９】
一実施形態では、前記固定的接続は、工具端子台６と足裏部１４とが接着剤により一体に形成されていると理解することができる。もちろん、他の実施形態では、工具端子台６と足裏部１４とは、機械的構造によって固定的接続を実現することもできる。例えば、工具端子台には、ロック部材（図示せず）が設けられ、足裏部には、ロック部材と係合するロック穴（図示せず）が設けられる。ロック部材が足裏部のロック穴に挿入されることにより、工具端子台が確実に位置決めされることが実現される。
【００９０】
手持ち式圧力洗浄装置１にエネルギーを提供する電池パック５は、本体部１２から離れた操作ハンドル１１の一端に設けられる。図５〜１３に示すように、電池パック５は、上ケース５１と、下ケース５３と、セルユニット５４と、電池パック端子台５５とを備える。上ケース５１及び下ケース５３はそれぞれ、収容キャビティを有し、上ケース５１と下ケース５３とを互いに合わせて接続して電池パックケース５０を構成する。電池パックケース５０には、突き合わせ面６２と嵌合可能な嵌合面５２が設けられるとともに、セルユニット５４及び電池パック端子台５５を収容する取付キャビティ５４０が規定されている。セルユニット５４は、行又は行と列に積層されるように取付キャビティ５４０内に設けられる複数のセルを有する。各セル２３１は、第１の電極端子（図示せず）と、第２の電極端子（図示せず）とを有する。第１の電極端子と第２の電極端子とは、対向して設けられ、かつ電極の極性が反対である。
【００９１】
本実施形態では、図８に示すように、嵌合面５２は、上ケース５１に形成される。具体的には、上ケース５１は、上面５１１と、上面５１１から上方に突出するボス５１０とを有する。このボス５１０は、頂面５１２と、上面５１１と頂面５１２とを接続する一対の側面５１３及び一つの前端面５１４とを有する。上記嵌合面５２は、電池パック５の上ケース５１の１つの面又は複数の面で形成される。電池パック端子台５５は、ボス５１０及びセルユニット５４によって囲まれたキャビティ内に収容されている。電池パック端子台５５には、複数の工具端子６３に接続される複数の電池パック端子５５１が設けられている。
【００９２】
さらに、本実施形態では、手持ち式圧力洗浄装置１と電池パック５とが嵌合して工具端子６３と電池パック端子５５１とを電気的に接続するための挿入口５４００を形成する。この挿入口５４００は、手持ち式圧力洗浄装置１又は電池パック５に選択的に配置される。挿入口５４００の配置位置に応じて、本発明は、２つの形態構造の電池パック５を提供できる。具体的には、図５、図６に示すように、挿入口５４００は、電池パック５に配置され、電池パック５は、第１の形態構造を有する。すなわち、工具端子６３は、少なくとも一部が突き合わせ面６２から外側に突出している。工具端子６３は、外側に突出するタブ型端子として配置され、電池パック５の嵌合面５２には、電池パック端子５５１に電気的に接続されるように工具端子６３が挿入される前記挿入口５４００が形成されていると理解することができる。
【００９３】
上記挿入口５４００が手持ち式圧力洗浄装置１に配置される場合、電池パック５は、第２の形態構造（図示せず）を有する。このとき、電池パック端子５５１は、外側に突出するタブ型端子（図示せず）として配置される。電池パック端子５５１は、工具端子６３に電気的に接続されるように挿入口を介して工具ハウジング１０内に挿入される。
【００９４】
本開示の実施例では、電池パック５は、第１の構造で示されるため、以下は、第１の構造のみについて詳しく説明する。挿入口５４００の形態設計について、一実施形態では、図８〜１０に示すように、挿入口５４００は、略角形状である。別の実施形態では、図５及び図６に示すように、挿入口５４００は、略Ｌ字状である。
【００９５】
図１１〜図１４に示すように、電池パック５は、電池パックケース５０に取り付けられるロック装置５７をさらに備える。ロック装置５７は、電池パック５と圧力洗浄装置１との接続又は分離を実現するように、電池パックケース５０に対して移動可能である。具体的には、ロック装置５７は、操作部５７１と、係止部５７２とを有する。操作部５７１は具体的には、ボタンである。ボタンは、電池パック５が操作によって工具本体１０から離脱できるように、係止部５７２を電池パックケース５０に対して上下動させることができる。さらに、ロック装置５７の底面と上ケース５１の外面５１１との間には、弾性手段５７３が設けられている。好ましくは、この弾性手段５７３は、ばねである。上ケース５１の外面５１１には、取付溝５１５が設けられ、上記ばねは、少なくとも一部が取付溝５１５内に規定されている。電池パック５を手持ち式圧力洗浄装置１から取り外す必要がある場合、ボタンを押圧すると、ボタンは、圧力洗浄装置１から分離するように係止部５７２を下方に移動させる。このとき、ばねは、ボタンの圧力を受けて、ロック装置５７が押圧された後に元の高さに戻るための上向きの復元力をボタンに与える。ボタンの底面の縁部にガイドコラム５７４を有し、対応する上ケース５１の外面５１１に２本のコラム５１６を有し、２本のコラム５１６の間には、ガイドコラム５７４が挿入されて上下動するためのガイド槽５１７が形成されている。
【００９６】
ロック装置５７と電池パックケース５０との固定的接続について、一実施形態では、電池パック５は、ロック装置５７の上方への移動限界位置を規制するストッパ５８をさらに備える。前記ストッパ５８は、上ケース５１の外面５１１に取り付けられ、ロック装置５７の少なくとも一部に下向きに当接する。具体的には、このストッパ５８は、ネジによって上ケース５１の外面５１１に固定的に取り付けることができる。ボタンが押圧されると、ロック装置５７は、ガイド槽５１７に沿って下方に移動可能であり、手を離すと、ロック装置５７は、ガイド槽５１７に沿ってストッパ５８の底面まで上方に移動可能である。
【００９７】
もちろん、他の実施形態では、ロック装置５７と電池パックの上ケース５１とは、一般的な係合手段によって接続されてもよい。
【００９８】
市販の従来の着座型圧力洗浄装置は、体積が大きくて重いので、作業現場を切り替えるときには、搬送が面倒である。例えば、家庭の清掃では、窓、車道、階段、自動車を個別に洗浄する場合、異なる場所を行ったり来たりして機器全体を繰り返し搬送する必要がある。本開示の実施例では、圧力洗浄装置に求められるのは、携帯性を有する手持ち式圧力洗浄装置１である。携帯性の要求を満たすために、手持ち式圧力洗浄装置１自体は、水源を収容する水タンクを有せず、本体部１２の液体注入口３１を介して外部の管路に接続され、外部の管路はさらに外部の水源に接続され、外部の水源は、池、水道水であるか、または水タンクもしくは筒体のような容器装置によって提供され得る。手持ち式圧力洗浄装置の作業場面は主に、家庭清掃及び戸外活動を含む。
【００９９】
さらに、本実施形態に係る手持ち式圧力洗浄装置の外部に出力する作動水圧は、０．２Ｍｐａ〜１０Ｍｐａであり、外部に出力する作動水流量は、１．５Ｌ／Ｍｉｎ〜８Ｌ／Ｍｉｎである。具体的には、圧力洗浄装置の外部に出力する作動水圧は、０．３Ｍｐａ、０．４Ｍｐａ、０．５Ｍｐａ、０．８Ｍｐａ、１Ｍｐａ、１．２Ｍｐａ、１．４Ｍｐａ、１．５Ｍｐａ、１．８Ｍｐａ、２Ｍｐａ、２．２Ｍｐａ、２．４Ｍｐａ、２．４９Ｍｐａ、２．５Ｍｐａ、２．６Ｍｐａ、２．８Ｍｐａ、３．０Ｍｐａ、３．３Ｍｐａ、３．５Ｍｐａ、３．６Ｍｐａ、３．８Ｍｐａ、４Ｍｐａ、４．５Ｍｐａ、５Ｍｐａ、５．５Ｍｐａ、６Ｍｐａ、７Ｍｐａ、８Ｍｐａ、９Ｍｐａなどであってもよく、圧力洗浄装置の外部に出力する作動水流量は、１．５Ｌ／Ｍｉｎ、１．６Ｌ／Ｍｉｎ、１．７Ｌ／Ｍｉｎ  、１．８Ｌ／Ｍｉｎ、１．９Ｌ／Ｍｉｎ、２Ｌ／Ｍｉｎ、２．２Ｌ／Ｍｉｎ、２．４Ｌ／Ｍｉｎ、２．５Ｌ／Ｍｉｎ、２．６Ｌ／Ｍｉｎ、２．８Ｌ／Ｍｉｎ、３．０Ｌ／Ｍｉｎ、３．２Ｌ／Ｍｉｎ、３．３Ｌ／Ｍｉｎ、３．４Ｌ／Ｍｉｎ、３．５Ｌ／Ｍｉｎ、３．８Ｌ／Ｍｉｎ、４Ｌ／Ｍｉｎ、４．５Ｌ／Ｍｉｎ、５Ｌ／Ｍｉｎ、５．５Ｌ／Ｍｉｎ、６Ｌ／Ｍｉｎ、６．５Ｌ／Ｍｉｎ、７Ｌ／Ｍｉｎ、７．５Ｌ／Ｍｉｎなどであってもよい。
【０１００】
また、手持ち式圧力洗浄装置１の使用状況及び手持ち式携帯性の要求に応じて、本実施形態では、手持ち式圧力洗浄装置１にエネルギーを提供するものは、充電可能なリチウム電池パックである。電池パック５の数は、１つ以上である。一実施形態では、電池パック５の数は、１つであり、電池パック５の公称出力電圧は、１８Ｖ〜６０Ｖである。すなわち、電池パック５の公称出力電圧は、１８Ｖ、２０Ｖ、２８Ｖ、３６Ｖ、３８Ｖ、４０Ｖ、４２Ｖ、５６Ｖ、６０Ｖであってもよい。電池パック５の定格容量は、１．５Ａｈ、２Ａｈ、２．５Ａｈ、３Ａｈ、４Ａｈであってもよい。もちろん、他の実施可能な形態では、電池パック５の数は、２つであってもよい。各電池パック５の公称出力電圧は、１８Ｖ〜４２．４Ｖであってもよい。電池パック５の定格容量は、１．５Ａｈ、２Ａｈ、２．５Ａｈ、３Ａｈ、４Ａｈであってもよい。さらに、本開示の実施例では、当該リチウム電池パックは少なくとも、２つの異なる種類の直流工具（例えば、芝刈り機、剪定ばさみ、草刈り機、チェーンソーなど）に適合して接続可能であり、異なる種類の直流工具が電池パックを共用し、ユーザの使用コストの低下を実現できる。なお、電池パックは、リチウム電池ではなく、ニッケル水素電池やニッケルクロム電池などであってもよい。
【０１０１】
なお、電池パック５によって給電される手持ち式圧力洗浄装置１は、ユーザの使用利便性に対する要求を必然的に満たすことができる。しかしながら、電池パック５によって給電される手持ち式圧力洗浄装置１は、対応する防水要件を満たす必要がある。そして、異なる試験機構は、異なる試験判断基準を有する。対応する防水要件を満たす場合、電池パック５によって給電される手持ち式圧力洗浄装置１は、ユーザが機器を使用する安全性をより確保できる。一方、対応する防水要件を満たす防水技術はさらに、対応する試験判断基準を満たす必要もある。本実施形態は、機器の安全性を確保するとともに、権威ある試験機関の防水安全規格判断基準を満たすことができるより厳しい防水技術を提供している。
【０１０２】
なお、ここの防水要件は、手持ち式圧力洗浄装置１の有する対応水圧及び電池パック５の有する対応電圧の下で、電池パック２を装着した手持ち式圧力洗浄装置１を対応する極端な環境に置く場合、ＩＰＸ５防水要件を満たすことができると理解されるべきである。引き続き強調したいのは、他の電動工具と比べて、手持ち式圧力洗浄装置１はユーザが機器を把持する方法の多様性（使用場面又は洗浄状況に応じて、ユーザは、機器本体を径方向に回転させて適切な角度で機器を把持することができる）に制限され、防水要件がより厳しいことである。よって、ここの極端な環境は、電池パック５を装着した手持ち式圧力洗浄装置１に対して多方向で試験を行う必要があると理解されるべきである。すなわち、機器を縦方向に把持する場合も機器を横方向に把持する場合も機器を１８０度反転させて形成される反転機器などの場合もＩＰＸ５防水要件を満たすことができる。
【０１０３】
現在、市場では、単一の電池パック防水技術が多く存在するが、これらの技術では、電池パックの一部の領域のみで水流が電池パック５の取付キャビティ５４０内に入るのを防止できるか、又は単一の試験方向で（機器を縦方向に配置する場合）、水流が電池パック５の取付キャビティ５４０内に入るのを防止できる。しかし、これらの技術は、高い防水性が要求される手持ち式圧力洗浄装置ユニット（手持ち式圧力洗浄装置１と電池パック５とが嵌合して形成した手持ち式圧力洗浄装置ユニット）に全く役に立たず、防水問題を完全には解決できない。
【０１０４】
本発明の技術者は、鋭意研究を重ねてきた。本実施形態では、まず、手持ち式圧力洗浄装置１と電池パック５とが嵌合したとき、通常、嵌合部には嵌合代が存在する。すなわち、電池パック５と手持ち式圧力洗浄装置１との接触面は完全に密着することがない。そして、タブ型の工具端子６３と挿入口５４００とはしまりばめになることがなく、すなわち、通常、タブ型の工具端子６３と挿入口５４００との間には、隙間がある。さらに、電池パック端子台５５と電池パック５の取付キャビティ５４０との間には嵌合隙間があるため、挿入口５４００は、セルユニット５４を収容する取付キャビティ５４０の内部と連通している。外部の水流は、手持ち式圧力洗浄装置１と電池パック５との間の嵌合隙間を介して挿入口５４００に流入し、電池パック端子台５５と取付キャビティ５４０との間の嵌合隙間を介して取付キャビティ５４０内に流入してセルユニット５４に接触する恐れがあるため、電池パック内の回路の短絡を起こして、漏電、感電、ひいてはセルの爆発などの安全上の問題を引き起こしやすい。
【０１０５】
そのため、手持ち式圧力洗浄装置１と電池パック５との突き合わせ領域をシールする必要がある。本実施形態では、挿入口５４００を外部から隔離することによってシールを行う。具体的には、電池パック５が手持ち式圧力洗浄装置１と嵌合したとき、手持ち式圧力洗浄装置１と電池パック５との間には嵌合隙間があり、手持ち式圧力洗浄装置１及び電池パック５の少なくとも一方には、前記嵌合隙間から挿入口５４００までの通路を遮断する挿入口シール７が配置されている。挿入口シール７は、外部の水流が嵌合隙間を介して挿入口５４００に流入することを抑制し、外部の水流が挿入口５４００を介して取付キャビティ５４０内のセルユニット５４に流入することを防止するために、挿入口５４００を外部から隔離可能である。具体的には、図３〜図７、図９及び図１０に示すように、挿入口シール７は、工具端子台６の突き合わせ面６２と電池パック５の嵌合面５２との間に接続されている。なお、ここの「間」は、挿入口シール７が工具端子台６の突き合わせ面６２に設けられるか、及び／又は挿入口シール７が電池パック５の嵌合面５２に設けられることを含む。
【０１０６】
以下はまず、挿入口シール７が工具端子台６の突き合わせ面６２に接続される実施形態を説明する。
【０１０７】
一実施形態では、図３〜図６に示すように、挿入口シール７は接着剤により、突き合わせ面６２の少なくとも一部に固定的に密着している。もちろん、締結手段（図示せず）又は他の任意の実施可能な手段によって突き合わせ面６２に接続されてもよい。電池パック５が手持ち式圧力洗浄装置１に取り付けられたとき、挿入口シール７は、電池パック５の嵌合面５２に当接して挿入口５４００を外部から隔離することによって、外部の水流が挿入口５４００を介して電池パック５の取付キャビティ５４０に入ることを抑制するように構成される。挿入口シール７は、防水絶縁材からなる弾性変形可能な軟質ガスケット、片面テープのうちの１つ又は複数の組み合わせであってもよい。挿入口シール７は、ブロック状であってもよいし、帯状であってもよい。本実施形態では、突き合わせ面６２に接続される挿入口シール７は、ブロック状の軟質ガスケットである。好ましくは、ブロック状の軟質ガスケットは、一体状であり、軟質ガスケットが挿入口５４００を隔離することを妨げない構造で工具端子６が対応して挿通されるように配置される複数の貫通孔７０を有する。もちろん、挿入口シール７は、一体形成される帯状のシールリング（図示せず）であってもよい。シールリングは、突き合わせ面６２に設けられ、電池パック５が手持ち式圧力洗浄装置１と嵌合した後、挿入口５４００は、帯状のシールリングによって囲まれたシール空間内に位置する。
【０１０８】
別の実施形態では、図７に示すように、挿入口シール７は、工具端子台６に移動可能に設けられ、電池パック５と手持ち式圧力洗浄装置１との嵌合中、挿入口シール７と工具端子台６の突き合わせ面６２との間の距離が変化可能であり、少なくとも１つの距離において、外部の水流が挿入口５４００を介して取付キャビティ５４０に入ることを防止可能である。ここの移動可能な配置は、挿入口シール７が工具端子台６に固定されておらず、挿入口シール７が取り外し可能であると理解することができる。
【０１０９】
同様に、この実施形態における挿入口シール７は、ブロック状の軟質ガスケットであってもよい。好ましくは、ブロック状のガスケットは、一体状であり、複数の貫通孔（図示せず）を有する。軟質ガスケットは、貫通孔を介して対応する工具端子６３に嵌設されると理解することができる。これら貫通孔（図示せず）は、軟質ガスケットが挿入口５４００を隔離することを妨げない構造で工具端子６が対応して挿通されるように配置される。もちろん、ブロック状の軟質ガスケットは、分体式であってもよい。
【０１１０】
さらに、上述したように、挿入口５４００の形状は、角形状であってもよいし、Ｌ字状であってもよい。ここの角形状は、挿入口５４００が前端面５１４のみから電池パック５の取付キャビティ５４０内へ凹んで形成されると理解することができる。このとき、嵌合面５２は、電池パック５の上ケース５１の前端面５１４である。ここのＬ字状は、挿入口５４００が前端面５１４及び頂面５１２から電池パック５の取付キャビティ５４０内へ凹んで形成されると理解することができる。このとき、嵌合面５２は、電池パック５の上ケース５１の前端面５１４及び頂面５１２からなる。
【０１１１】
挿入口シール７が工具端子台６の突き合わせ面６２に接続される実施形態について、以下は、挿入口５４００の形状が角形状であることを例に挙げて説明する。一設計形態では、図７に示すように、突き合わせ面６２に接続される挿入口シール７は、ブロック状の軟質ガスケットである。好ましくは、ブロック状の軟質ガスケットは、一体状である。上記軟質ガスケットは、接着剤によって突き合わせ面６２に一体的に接着されている。突き合わせ面６２に接続される軟質ガスケットは、軟質ガスケットが端子突き合わせ室５０を閉鎖することを妨げない構造で工具端子６３が対応して挿通されるように構成される複数の貫通孔（図示せず）を有する。もちろん、挿入口シール７は、一体形成されるシールリング（図示せず）であってもよい。シールリングは、突き合わせ面６２に設けられ、電池パック５が手持ち式圧力洗浄装置１と嵌合したとき、挿入口５４００の開口は、シールリングによって囲まれたシール空間内に位置する。
【０１１２】
挿入口シール７が工具端子台６の突き合わせ面６２に接続される実施形態について、以下は、挿入口５４００の形状がＬ字状であることを例に挙げて説明する。図４〜図６に示すように、挿入口５４００の形状がＬ字状である場合、工具端子台６は、２つの設計形態にすることができる。一設計形態では、図４及び図５に示すように、工具端子台６の突き合わせ面６２と挿入口シール７とはいずれも、Ｌ字状に設計される。Ｌ字状の挿入口シール７は、Ｌ字状の突き合わせ面６２に接続される。電池パック５が手持ち式圧力洗浄装置１に取り付けられたとき、Ｌ字状の挿入口シール７は、Ｌ字状の突き合わせ面６２と電池パック５の嵌合面５２との間に押圧されて、Ｌ字状の挿入口５４００を外部から隔離することが実現される。
【０１１３】
別の設計形態では、図６に示すように、工具端子台６の突き合わせ面６２は依然として、角形状であり、挿入口シール７のみは、Ｌ字状であり、片持ち状に設けられる第１の部分７１と、工具本体１０に接続される第２の部分７２とを有する。本実施形態では、第１の部分７１及び第２の部分７２は、略９０度に設けられる。第１の部分７１及び第２の部分７２は、一体的に設けられてもよいし、別体に設けられてもよい。電池パック５が手持ち式圧力洗浄装置１に取り付けられたとき、Ｌ字状の挿入口シール７の第１の部分７１は、突き合わせ面６２と電池パック５の嵌合面５２との間に押圧されて前端面５１４の開口をシールし、Ｌ字状の挿入口シール７の第２の部分７２は、頂面５１２の開口をシールし、第１の部分７１と第２の部分７２との協働により、Ｌ字状の挿入口５４００と外部との隔離を実現する。
【０１１４】
以下は、挿入口シール７が電池パック５の嵌合面５２に接続される実施形態を説明する。
【０１１５】
一実施形態では、図９〜１０に示すように、挿入口シール７は、電池パック５の嵌合面５２に接続されてもよい。電池パック５が手持ち式圧力洗浄装置１に取り付けられたとき、挿入口シール７は、工具本体１０の突き合わせ面６２に当接して挿入口５４００を外部から隔離することによって、外部の水流が挿入口５４００を介して電池パック５の取付キャビティ５４０に入ることを抑制するように構成される。挿入口シール７は、ブロック状のガスケットであってもよいし、帯状のシールリングであってもよい。ガスケット及びシールリングは、防水絶縁材からなる弾性変形可能な軟質ガスケット、片面テープのうちの１つ又は複数の組み合わせである。挿入口シール７は、接着剤（のり）によって突き合わせ面６２に接続されてもよいし、締結手段（図示せず）又は他の任意の実施可能な手段によって突き合わせ面６２に接続されてもよい。
【０１１６】
同様に、上述したように、挿入口５４００の形状は、角形状であってもよいし、Ｌ字状であってもよい。ここの角形状は、挿入口５４００が前端面５１４のみから電池パック５の取付キャビティ５４０内へ凹んで形成されると理解することができる。ここのＬ字状は、挿入口５４００が前端面５１４及び頂面５１２から電池パック５の取付キャビティ５４０内へ凹んで形成されると理解することができる。
【０１１７】
挿入口シール７が電池パック５に接続される実施形態について、挿入口５４００の形状が角形状である場合、一設計形態では、図９に示すように、嵌合面５２に接続される挿入口シール７は、ブロック状の軟質ガスケットである。好ましくは、ブロック状の軟質ガスケットは、一体状である。上記軟質ガスケットは接着剤によって電池パック５の前端面５１４に一体的に接着される。電池パック５の前端面５１４に接続される軟質ガスケットは、軟質ガスケットが端子突き合わせ室５０を閉鎖することを妨げない構造で工具端子６３が対応して挿通されるように構成される複数の貫通孔７０を有する。もちろん、挿入口シール７は、一体形成されるシールリングであってもよい。シールリングは、前端面５１４に設けられ、電池パック５が手持ち式圧力洗浄装置１と嵌合したとき、挿入口５４００の開口は、シールリングによって囲まれたシール空間内に位置する。別の設計形態では、図１０に示すように、嵌合面５２に接続される挿入口シール７は、帯状のシールリングである。具体的には、帯状のシールリングは、頂面５２１に接続される第１のシールリング７３と、一対の側面５２２に接続される第２のシールリング７４と、上面５１１に接続される第３のシールリング７５とを有する。第１、第２及び第３のシールリング７３、７４、７５が首尾で接続されて、端子突き合わせ室５０の開口を軟質シールリングによって囲まれたシール領域内に設ける。好ましくは、帯状のシールリングは、一体状である。この設計形態では、第１のシールリング７３、第２のシールリング７４及び第３のシールリング７５はすべて、一体式の帯状構造であると理解することができる。
【０１１８】
挿入口５４００の形状がＬ字状である場合、上記図１０の設計形態も適用できる。Ｌ字状の挿入口５４００が軟質シールリングによって囲まれた範囲内に位置することを確保できればよい。
【０１１９】
次に、本発明に係る電池パック５の上ケース５１、下ケース５２は、別体構造である。上ケース５１と下ケース５２とが嵌合した後、両者の接続部には嵌合隙間がある。外部の水流は、当該嵌合隙間を介して電池パック５の取付キャビティ５４０に流入することができるため、セルユニット５４は、水流に接触し、電池パック５内の回路の短絡を起こして、漏電、感電、ひいてはセルの爆発などの安全上の問題を引き起こすおそれがある。そのため、電池パック５の上ケース５１と下ケース５２との間をシールする必要がある。具体的には、図１３に示すように、電池パック５は、上下ケースシール５６をさらに備える。上ケース５１が下ケース５２と嵌合したとき、上下ケースシール５６は、外部の水流が上、下ケース５１、５２の間の嵌合隙間を介して取付キャビティに流入することを遮断する。
【０１２０】
一実施形態では、上下ケースシール５６は、上、下ケース５１、５２の接続部に設けられている。上ケース５１と下ケース５２との嵌合が完了したとき、上下ケースシール５６は、上ケース５１と下ケース５２との間の嵌合隙間からセルユニット５４までの通路を遮断する。なお、ここの接続部は、上ケース５１の外周縁全体と下ケース５２の外周縁全体との接触領域である。一実施形態では、上下ケースシール５６は、Ｏリングであり、上ケース５１と下ケース５２との固定的接続は、Ｏリングが上ケース５１と下ケース５２との接続隙間を埋めるようにＯリングに対する押圧力を発生する。もちろん、他の実施形態では、上下ケースシール５６は、溶接部材であってもよい。すなわち、上ケース５１及び下ケース５２は溶接によりシールされている。
【０１２１】
好ましくは、電池パック５は、電池パック５の動作特性を示す表示装置５９と、表示装置を収容する表示装置収容室５９０とをさらに備える。表示装置収容室５９０は、取付キャビティ５４０の一方側に位置する。表示装置５９は、制御基板（図示せず）と、制御基板に電気的に接続される電力量表示ランプ５９２及び電力量表示ボタン５９３とを備え、電力量表示ボタン５９３は、電力量表示ランプ５９２を点灯させるように操作によってトリガーすることができる。本実施形態では、表示装置収容室５９０は、上記上下ケースシール５６によって密閉された空間に規定され、外部の水流が表示装置収容室２０１を介して電池パック２内に流入することを防止する。
【０１２２】
また、従来のロック装置は、電池パックケースに取り付けられるとともに、ロック装置の少なくとも一部が取付キャビティ内に位置する。ロック装置は、電池パックケース５０との接続又は分離を実現するように、電池パックケースに対して移動可能である。このように設計する場合、ロック装置と取付キャビティ５４０との間にはロック装置が移動するための移動隙間があるため、外部の水流は、当該移動隙間を介して電池パックの取付キャビティ内に入りやすく、セルユニットに水があることになる。具体的には、セルユニットの２つの電極端子に水があるか、及び／又は各セルの間に水が溜まる。そのため、ロック式電池パックについて、そのロック装置と電池パックの取付キャビティとを隔離して設ける必要がある。
【０１２３】
具体的には、図１２及び図１３に示すように、ロック装置５７と取付キャビティ５４０とは、互いに独立しかつ連通しないように配置される。より具体的には、ロック装置５７は、電池パックケース５０に取り付けられ、かつ取付キャビティ５４０の外部に隔離されている。電池パックケース５０には、ロック装置５７が移動するための移動空間が形成され、当該移動空間は、外部の水流が移動空間に入ったときに取付キャビティ５４０にさらに流入することを防止するために、取付キャビティ５４０の外部に独立して隔離されている。
【０１２４】
一実施形態では、ロック装置５７は、取付キャビティ５４０の外部で上ケース５１の外面５１１に取り外し可能に取り付けられている。具体的には、図１２に示すように、電池パック５の上ケース５１は、一体成形され、その外面５１１には、ロック装置５７を少なくとも部分的に取り囲むロックキャビティ５７０が凹んで形成される。ロックキャビティ５７０は、上記ロック装置５７が上下動するための移動空間を形成し、外部の水流がロックキャビティ５７０に入ったときに取付キャビティ５４０にさらに入ることを防止するために、ロックキャビティ５７０と取付キャビティ５４０とは互いに連通していない。
【０１２５】
別の実施形態では、電池パックは、スペーサ（図示せず）を備える。スペーサは、電池パックケースに取り外し可能に取り付けられて、ロック装置５７を収容するロックキャビティが形成される。すなわち、スペーサによってロックキャビティと取付キャビティとを隔離する。本実施形態では、電池パックには、スペーサと電池パックケースとの間に位置し、スペーサと電池パックケースとの間の嵌合隙間から取付キャビティへの通路を遮断するシール構造がさらに設けられている。具体的には、当該シール構造は、スペーサと電池パックケース５０との間に押圧されるシールリングとして配置される。もちろん、スペーサと電池パックケース５０とは、溶接によりシールされてもよい。
【０１２６】
本発明に係る手持ち式圧力洗浄装置ユニットの防水形態では、同一の手持ち式圧力洗浄装置ユニットにおいて、挿入口シール７が電池パック５と手持ち式圧力洗浄装置１との間の嵌合隙間から挿入口５４００までの通路を遮断する構造、上下ケースシール５６が上、下ケース５１、５２の間の嵌合隙間を経由する外部と取付キャビティ５４０内との連通を遮断する構造と、ロック装置５７が取付キャビティ５４０の外部に隔離される構造との３つの構造は、同一の前記電動工具ユニット（例えば手持ち式圧力洗浄装置ユニット）に共存しなければならない。
【０１２７】
さらに、突き合わせ面６２と嵌合面５２との間に接続される軟質ガスケットは、電池パック５と手持ち式圧力洗浄装置１との相対変位によって手持ち式圧力洗浄装置ユニットを形成する過程で、特定の変形量に達するまで軟質ガスケットが前記電池パック５に押圧される所定の厚さを有し、当該特定の変形量は、前記手持ち式圧力洗浄装置ユニットが水中１メートル以上に浸されたとき、水圧が軟質ガスケットに対する電池パック５の押圧力よりも小さくなるように設定される。好ましくは、当該所定の厚さの範囲は、１〜１０ｍｍである。すなわち、所定の厚さは、１ｍｍ、２ｍｍ、３ｍｍ、４ｍｍ、５ｍｍ、６ｍｍ、７ｍｍ、８ｍｍ、９ｍｍであってもよい。このように設定することにより、試験中に軟質ガスケットが常に電池パック５と手持ち式圧力洗浄装置１との間に押圧されることを確保できる。
【０１２８】
本発明に係る手持ち式圧力洗浄装置ユニットの防水設計について、ここの防水は主に、手持ち式圧力洗浄装置ユニットを極端な作業状況に置く場合、ＩＰＸ７防水要件を満たすことができることを指す。ここの極端な作業状況は、水道水で多方向から機器を１０分間当てるか、又は機器を１ｍの水中に３０分間浸すと理解することができる。少なくとも３つの構造の組み合わせにより、外部の水流が取付キャビティに入ることを完全に抑制できる防水システムを形成する。本発明に係る防水システムは、防水信頼性を確保しつつ、構造が簡単で、低コストであり、電池パックのプラットフォームを大きく変更する必要がないので、手持ち式圧力洗浄装置に給電する電池パックは、他の電動工具に給電することもできる。
【０１２９】
さらに、図９に示すように、本発明の実施形態における電池パック５には、放熱口５１１０がさらに設けられている。前記放熱口５１１０は、上ケース５１の頂面５１２に形成されている。図３に示すように、当該手持ち式圧力洗浄装置１は、工具本体１０に設けられて放熱口５１１０をシールするための放熱口シール８をさらに備える。放熱口５１１０は、電池パック５に選択的に設けられる。電池パック５の上面５１１が放熱口５１１０構造を有する場合、増設される放熱口シール８は、放熱口５１１０を塞ぎ、電池パック５のシール防水効果をさらに実現することができる。小電流で動作する手持ち式圧力洗浄装置の場合、電池パック５の放熱口５１１０が塞がれても、又は放熱口５１１０を設けなくても、手持ち式圧力洗浄装置の通常の使用に影響を与えない。このように、本実施例に係る発明によれば、放熱口５１１０構造が設けられた大電流の電池パック５も工具本体１０に接続可能であり、さらに、電池パック５の汎用化が実現される。
【０１３０】
図３に示すように、工具本体１０の足裏部１４が内方へ凹んで放熱口シール８を収容する収容溝１０１が形成される。放熱口シール８は、接着剤によって収容溝１０１と一体的に形成されてもよい。もちろん、他の実施形態では、放熱口シール８は、電池パック５に直接設けられてもよい。
【０１３１】
放熱口シール５としては、片面テープ、又は軟質プラスチック防水材料で製造された軟質ガスケットを用いてもよい。放熱口シール８は、一体のブロック状構造であり、接着剤又は締結手段又は他の任意の適切な手段によって収容溝１０１内に接続することができる。
【０１３２】
上記実施例は、本発明のいくつかの実施形態を示したに過ぎない。その説明が詳細であるが、上記実施例は、本発明の権利範囲への限定になると理解されるべきではない。当業界の一般的な技術者は、本発明の趣旨を逸脱しない限り、上記実施形態への適宜変形及び改良を実施することができ、これらの変形及び改良はすべて本発明の範囲に属すると認識すべきである。
【図１】
2020532442.tif 000003
【図２】
2020532442.tif 000004
【図３】
2020532442.tif 000005
【図４】
2020532442.tif 000006
【図５】
2020532442.tif 000007
【図６】
2020532442.tif 000008
【図７】
2020532442.tif 000009
【図８】
2020532442.tif 000010
【図９】
2020532442.tif 000011
【図１０】
2020532442.tif 000012
【図１１】
2020532442.tif 000013
【図１２】
2020532442.tif 000014
【図１３】
2020532442.tif 000015
【図１４】
2020532442.tif 000016
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
電動工具と、前記電動工具に電気的に接続される電池パックとを備え、
前記電動工具は、
工具本体と、
前記工具本体に設けられ、複数の工具端子を有する工具端子台とを備え、
前記工具本体と取り外し可能に嵌合する前記電池パックは、
上ケースと、
前記上ケースと接続して電池パックケースを構成する下ケースと、
セルユニットと、
前記複数の工具端子に接続される複数の電池パック端子を有する電池パック端子台と、
前記電池パックケース内に規定されて前記セルユニット及び前記電池パック端子台を収容する取付キャビティであって、前記電池パック端子に電気的に接続されるように前記工具端子が挿入される挿入口が設けられた取付キャビティと、
前記電池パックと前記電動工具とを接続又は分離可能にするロック装置と、を備える電動工具ユニットにおいて、
前記電池パックが前記電動工具と嵌合したとき、前記電動工具と前記電池パックとの間には嵌合隙間があり、前記電動工具及び前記電池パックの少なくとも一方には、前記嵌合隙間から前記挿入口までの通路を遮断する挿入口シールが配置され、
前記上ケースが前記下ケースと嵌合したとき、前記上ケースと前記下ケースとの間には嵌合隙間があり、前記電池パックは、前記嵌合隙間から前記取付キャビティへの通路を遮断する上下ケースシールをさらに備え、
前記ロック装置は、前記電池パックケースに取り付けられ、前記取付キャビティの外部に隔離されていることを特徴とする電動工具ユニット。
【請求項２】
前記工具端子台には、突き合わせ面が設けられ、前記工具端子は、少なくとも一部が前記突き合わせ面から外側に突出し、前記電池パックは、前記突き合わせ面と嵌合可能な嵌合面を有し、前記挿入口は、前記嵌合面に形成されていることを特徴とする請求項１に記載の電動工具ユニット。
【請求項３】
前記挿入口シールは、前記突き合わせ面と前記嵌合面との間に設けられていることを特徴とする請求項２に記載の電動工具ユニット。
【請求項４】
前記挿入口シールは、前記突き合わせ面に固定的に密着するように配置され、前記電池パックが前記電動工具と嵌合したとき、前記挿入口シールは、前記電池パックの嵌合面に当接して前記挿入口と外部との隔離を実現するように構成されることを特徴とする請求項３に記載の電動工具ユニット。
【請求項５】
前記挿入口シールは、前記工具端子台に移動可能に配置され、前記電池パックと前記電動工具との嵌合中、前記挿入口シールと前記工具端子台の突き合わせ面との間の距離が変化可能であり、少なくとも１つの距離において、外部の水流が前記挿入口を介して前記取付キャビティに入ることを防止可能であることを特徴とする請求項３に記載の電動工具ユニット。
【請求項６】
前記挿入口シールは、軟質ガスケットであり、前記軟質ガスケットは、前記工具端子が対応して挿通される複数の貫通孔を有することを特徴とする請求項３に記載の電動工具ユニット。
【請求項７】
前記電池パックの嵌合面は、電池パックの上ケースの１つの面又は複数の面で形成され、前記挿入口シールは、前記１つの面又は複数の面に密着していることを特徴とする請求項２に記載の電動工具ユニット。
【請求項８】
前記電池パックには、放熱口が設けられ、前記工具本体には、前記放熱口の上方に位置して前記放熱口を隔離する放熱口シールが設けられていることを特徴とする請求項１に記載の電動工具ユニット。
【請求項９】
前記電池パックケースには、前記ロック装置が移動するための移動空間が形成され、前記移動空間は、前記取付キャビティの外部に隔離されていることを特徴とする請求項１に記載の電動工具ユニット。
【請求項１０】
前記上ケースは、一体成形され、その外面に、前記ロック装置を少なくとも部分的に取り囲むロックキャビティが下方へ凹んで形成され、前記ロックキャビティは、ロック装置が上下動するための移動空間を形成することを特徴とする請求項９に記載の電動工具ユニット。
【請求項１１】
前記上下ケースシールは、前記上ケースと前記下ケースとの接続部に設けられ、かつ前記上ケースと前記下ケースとの間に設けられるシールリングとして構成されることを特徴とする請求項１に記載の電動工具ユニット。
【請求項１２】
前記電動工具は、手持ち式圧力洗浄装置であり、前記工具本体は、把持用の操作ハンドルと、前記操作ハンドルと角度をなすように設けられる本体部と、水流を外部に吐出する吐水部とを有し、
前記手持ち式圧力洗浄装置は、前記本体部内に設けられるモータと、水流を外部に搬送するポンプとを有する機能部材をさらに備えることを特徴とする請求項１に記載の電動工具ユニット。
【請求項１３】
前記手持ち式圧力洗浄装置の外部に出力する作動水圧は、０．２Ｍｐａ〜１０Ｍｐａであり、外部に出力する作動水流量は、１．５Ｌ／Ｍｉｎ〜８Ｌ／Ｍｉｎであることを特徴とする請求項１２に記載の電動工具ユニット。
【請求項１４】
前記電池パックの数は、１つであり、前記電池パックの公称出力電圧は、１８〜６０Ｖであるか、又は前記電池パックの数は、２つであり、そのうちの１つの電池パックの公称出力電圧は、１８〜４２．４Ｖであることを特徴とする請求項１に記載の電動工具ユニット。
【請求項１５】
電動工具に取り外し可能に取り付けられる電池パックであって、
上ケースと、
前記上ケースと接続することにより電池パックケースを構成する下ケースと、
セルユニットと、
前記複数の工具端子に接続される複数の電池パック端子を有する電池パック端子台と、
前記電池パックケース内に規定されて前記セルユニット及び前記電池パック端子台を収容する取付キャビティであって、前記電池パック端子に電気的に接続されるように前記工具端子が挿入される挿入口が設けられた取付キャビティと、
前記電池パックと前記電動工具とを接続又は分離可能にするロック装置と、を備える電池パックにおいて、
前記上ケースが前記下ケースと嵌合したとき、前記上ケースと前記下ケースとの間には嵌合隙間があり、前記電池パックは、前記嵌合隙間から前記取付キャビティへの通路を遮断する上下ケースシールをさらに備え、
前記ロック装置は、前記電池パックケースに取り付けられ、前記取付キャビティの外部に隔離されていることを特徴とする電池パック。
【請求項１６】
前記ロック装置は、前記取付キャビティの外部で上ケースの外面に取り外し可能に取り付けられていることを特徴とする請求項１５に記載の電池パック。
【請求項１７】
前記電池パックケースには、前記ロック装置が移動するための移動空間が形成され、前記移動空間は、外部の水流が前記移動空間に入ったときに前記取付キャビティにさらに流入することを防止するために、前記取付キャビティの外部に隔離されていることを特徴とする請求項１５に記載の電池パック。
【請求項１８】
前記ロック装置は、係止部と、前記電池パックが操作によって前記電動工具から離脱できるように前記係止部を前記上ケースに対して前記移動空間内で移動させる操作部とを備えることを特徴とする請求項１７に記載の電池パック。
【請求項１９】
前記ロック装置の底面と前記上ケースの外面との間には、前記操作部が前記係止部を前記上ケースに対して移動させるように、前記ロック装置に押圧される弾性手段が設けられていることを特徴とする請求項１８に記載の電池パック。
【請求項２０】
前記上下ケースシールは、前記上ケースと前記下ケースとの接続部に設けられ、かつ前記上ケースと前記下ケースとの間に設けられるシールリングとして構成されることを特徴とする請求項１５に記載の電池パック。
【請求項２１】
電動工具と、前記電動工具に電気的に接続される電池パックとを備え、
前記電動工具は、
工具本体と、
前記工具本体に設けられ、複数の工具端子を有する工具端子台と、を備え、
前記工具本体と取り外し可能に嵌合する前記電池パックは、
上ケースと、
前記上ケースと接続して電池パックケースを構成する下ケースと、
セルユニットと、
前記複数の工具端子に接続される複数の電池パック端子を有する電池パック端子台と、
前記電池パックケース内に規定されて前記セルユニット及び前記電池パック端子台を収容する取付キャビティであって、前記電池パック端子に電気的に接続されるように前記工具端子が挿入される挿入口が設けられた取付キャビティと、を備える電動工具ユニットにおいて、
前記電池パックが前記電動工具と嵌合したとき、前記電動工具と前記電池パックとの間には嵌合隙間があり、前記電動工具及び前記電池パックの少なくとも一方には、前記嵌合隙間から前記挿入口までの通路を遮断する挿入口シールが配置され、
前記上ケースが前記下ケースと嵌合したとき、前記上ケースと前記下ケースとの間には嵌合隙間があり、前記電池パックは、前記嵌合隙間から前記取付キャビティへの通路を遮断する上下ケースシールをさらに備え、
前記電動工具ユニットは、前記電池パックと前記電動工具とを接続又は分離可能にし、前記取付キャビティの外部に隔離されているロック装置をさらに備えることを特徴とする電動工具ユニット。
【国際調査報告】
2020532442.tif 000017
2020532442.tif 000018
2020532442.tif 000019
2020532442.tif 000020